(57)【要約】【課題】電動掃除機の使用中あるいは電動掃除機に衝撃等が与えられた際に、モータークッションと上枠体及び下枠体とが外れることを十分に防止できるとともに、モーターのファン部からの排気風を効率よく排出し、モーターの効率を向上することができる電動送風機及びこの電動送風機を備えた電気掃除機の提供。【解決手段】ファン部１６とモーター本体部８とを有するモーターと、ファン部１６の外周の一部を囲むモータークッション９と、上枠体１１と下枠体１２とから構成されており、モーターの外周及びモータークッション９の外周を覆う枠体部とを有する電動送風機において、枠体部の内側のモータークッションに当接する位置に複数の突起部が設けた。【選択図】図２
2011106408.tif 000002
【特許請求の範囲】
【請求項１】
ファン部とモーター本体部とを有するモーターと、
前記ファン部の外周の一部を囲むモータークッションと、
上枠体と下枠体とから構成されており、前記モーターの外周及び前記モータークッションの外周を覆う枠体部と、
を有しており、
前記枠体部の内側の前記モータークッションに当接する位置に複数の突起部が設けられている電動送風機。
【請求項２】
前記突起部は、等間隔に配置されている請求項１に記載の電動送風機。
【請求項３】
前記突起部は前記モーターの軸方向に複数列設けられている請求項１または２記載の電動送風機。
【請求項４】
前記枠体部の前記ファン部を覆う部分には、複数の孔部が設けられている請求項１〜３のうちの何れか１項に記載の電動送風機。
【請求項５】
請求項１〜請求項４のうちの何れか１項に記載の電動送風機を有する電気掃除機。
【発明の詳細な説明】
【技術分野】
【０００１】
本発明は、電気掃除機に関するものであり、特に電気掃除機の電動送風機に関する。
【背景技術】
【０００２】
使用者の生活空間の塵埃を掃除する電気掃除機の分野においては、電動掃除機の使用中あるいは電動掃除機に衝撃等が与えられた際に、電気掃除機の構成部材にズレが生じることを防止する構成が提案されている。
【０００３】
例えば、電気掃除機の電動送風機において、モータ部とファン部からなる電動送風機（モーター）がモータカバーで覆われており、このファン部の外周囲部を、後方にリブが外向きに形成された防振用のモータクッションで囲み、このモータークッションを引っ掛けリブが形成された上部モータカバー（上枠体）と下部モータカバー（下枠体）とで囲んで押えて、引っ掛けリブの先端に設けられた突部（爪）が、モータクッションに食い込み強固に固定して、電動送風機として一体化している構成を有する電動送風機を備えた電気掃除機が提案されている（例えば特許文献１参照）。
【先行技術文献】
【特許文献】
【０００４】
【特許文献１】特開２００２−２５３４４９号公報
【発明の概要】
【発明が解決しようとする課題】
【０００５】
しかしながら、上述の特許文献１に記載の従来の電気掃除機においては、電動送風機（モーター）の効率を向上させるという観点からは未だ改善の余地があった。
【０００６】
すなわち、上述の特許文献１に記載の従来の電気掃除機においては、上部モータカバー（上枠体）及び下部モータカバー（下枠体）に設けられた引っ掛けリブが、上部モータカバー及び下部モータカバーのモータクッションに当接する部分の円周方向の全域に設けられており、この引っ掛けリブをモータクッションに食い込ませることで、上部モータカバー及び下部モータカバーとモータクッションとを固定しているため、電動送風機（モーター）のファン部からの排気風を効率よく排出できず、電動送風機の効率を向上させることが困難であった。
【０００７】
本発明は、上記従来技術の有する課題に鑑みてなされたものであり、電動掃除機の使用中あるいは電動掃除機に衝撃等が与えられた際に、モータークッションと上枠体及び下枠体とが外れることを十分に防止できるとともに、モーターのファン部からの排気風を効率よく排出し、モーターの効率を向上することができる電動送風機およびこの電動送風機を備えた電気掃除機を提供することを目的とする。
【課題を解決するための手段】
【０００８】
上記従来技術の有する課題を解決するために、本発明は、
ファン部とモーター本体部とを有するモーターと、
ファン部の外周の一部を囲むモータークッションと、
上枠体と下枠体とから構成されており、モーターの外周及び前記モータークッションの外周を覆う枠体部と、
を有しており、
枠体部の内側のモータークッションに当接する位置に複数の突起部が設けられている電
動送風機を提供する。
【０００９】
これにより、ファン部からの排気風を突起と突起の間にできた隙間から効率よく排出することができるため、モーターの効率を向上させることができる。また、突起部がモータークッションと圧接されるため、電動掃除機の使用中あるいは電動掃除機に衝撃等が与えられた場合において、モータークッションの外れを十分に防止することができる。
【００１０】
また、本発明の電動送風機においては、突起部は、等間隔に配置されていることが好ましい。
【００１１】
これにより、ファン部からの排気風が突起部により整流化され、排気風を効率よく排出することができるたま、モーター効率を向上させることができる。また、ファン部からの風切音を十分に低減することができる。
【００１２】
さらに、本発明の電動送風機においては、突起部はモーターの軸方向に複数列設けられていることが好ましい。
【００１３】
これにより、枠体部とモータークッションとの圧接箇所が増えるため、モータークッションをより外れにくくすることができる。
【００１４】
また、本発明の電動送風機においては、枠体部のファン部を覆う部分には、複数の孔部が設けられていることが好ましい。
【００１５】
これにより、ファン部からの排気風をより効率良く排出することができるため、モーターの効率をより向上させることができる。
【００１６】
さらに、本発明は、請求項１〜請求項４のうちの何れか１項に記載の電動送風機を有する電気掃除機を提供する。
【００１７】
これにより、吸込み能力が高い電気掃除機を提供することができる。また、電動掃除機の使用中あるいは電動掃除機に衝撃等が与えられた際に、モータークッションが外れることを十分に防止することができる電気掃除機を提供することができる。
【発明の効果】
【００１８】
本発明によれば、電動掃除機の使用中あるいは電動掃除機に衝撃等が与えられた際に、モータークッションと上枠体及び下枠体とが外れることを十分に防止できるとともに、モーターのファン部からの排気風を効率よく排出し、モーターの効率を向上することができる電動送風機及びこの電動送風機を備えた電気掃除機を提供することができる。
【図面の簡単な説明】
【００１９】
【図１】本発明の電動送風機の第１実施形態を備えた電気掃除機の全体斜視図
【図２】本発明の電動送風機の第１実施形態の正面断面図
【図３】本発明の電動送風機の第１実施形態における枠体部の全体斜視図
【図４】本発明の電動送風機の第２実施形態における枠体部の全体斜視図
【発明を実施するための形態】
【００２０】
以下、図面を参照しながら本発明の便座装置の好適な実施形態について詳細に説明する。なお、以下の説明では、同一または相当部分には同一符号付し、重複する説明は省略する。
【００２１】
（第１実施形態）
本発明の電動送風機の第１実施形態について図１〜図３を用いて説明する。
【００２２】
図１は、本発明の電動送風機の第１実施形態を備えた電気掃除機の全体斜視図である。また、図２は、本発明の電動送風機の第１実施形態の正面断面図である。さらに、図３は、本発明の電動送風機の第１実施形態における枠体部の全体斜視図である。
【００２３】
図１に示すように、電気掃除機１００は、主として、掃除機本体１と、ホース２と、接続パイプ３と、延長管４と、吸込具５とから構成されている。
【００２４】
掃除機本体１は、主として、掃除機本体１の後部に配置され塵埃を吸引するための電動送風機６と、この電動送風機６の前方に設けられており、電動送風機６によって吸引された塵埃を集塵する集塵装置７とから構成されている。また、掃除機本体１の前方には、ホース２を接続するための吸入口（図示せず）が設けられている。
【００２５】
ホース２は、一端が掃除機本体１の吸入口（図示せず）に接続されており、他端が接続パイプ３に接続されている。また、接続パイプ３のホース２に接続される側の反対側の他端には、延長管４が接続されている。また、接続パイプ３には、使用者が保持するための取手（図示せず）が設けられている。
【００２６】
延長管４は、一端が接続パイプ３に接続されており、他端が吸込具５に接続されている。この吸込具５には、塵埃を吸引するための開口部（図示せず）が設けられており、この吸込具５の開口部（図示せず）から吸込まれた塵埃は、延長管４、接続パイプ３、及びホース２を介して集塵装置７に集塵される。
【００２７】
図２に示すように、電動送風機６は、主として、モーター本体部８及びファン部１６を有するモーターと、モータークッション９と、上枠体１１及び下枠体１２を有する枠体部とから構成されている。
【００２８】
モーター本体部８の後方には、サポートゴム１５がモーターサポーター１３を介して取り付けられており、このサポートゴム１５により、モーターの振動を十分に防止することができる。
【００２９】
ファン部１６の前方には、前方に開口部（図示せず）を有するモータークッション９がファン部１６の外周の一部を覆うように設けられている。また、モータークッション９の開口部（図示せず）には、支え板１０が設けられており、この支え板１０により、モーターから発生する熱を遮断することができるとともに、ファン部１６への空気の取り込みをスムーズに行うことができる。
【００３０】
上枠体１１及び下枠体１２は、モータークッション９の外周の一部、ファン部１６、モーター本体部８、モーターサポーター１３、及びモーターゴム１５を覆うように取り付けられている。また、上枠体１１及び下枠体１２には、それぞれ爪部（図示せず）が設けられており、この爪部によって、上枠体１１と下枠体１２とが嵌合されている。さらに、上枠体１１及び下枠体１２の後部の内側には、モーターの軸方向に向かって伸びるリブ１１ａ及びリブ１２ａがそれぞれ設けられており、このリブ１１ａ及びリブ１２ａは、サポートゴム１５に設けられた凹部１５ａに保持されている。また、図２及び図３に示すように、下枠体１２のファン部１６を覆う部分のモータークッション９とモーター本体部８との間には、ファン部１６の円周方向に複数の孔部１７が設けられている。
【００３１】
図２及び図３に示すように、モータークッション９は、その外周の一部を上枠体１１及
び下枠体１２により、上下から挟まれる形で保持されている。また、上枠体１１及び下枠体１２の前方のモータークッション９を覆う位置には、複数の突起部１１ｂ及び突起部１２ｂが、それぞれファン部１６の円周方向に等間隔に設けられている。モータークッション９は、この突起部１１ｂ及び突起部１２ｂが、モータクッション９に食い込んで圧接することにより、上枠体１１及び下枠体１２により保持されており、突起部１１ｂ及び突起部１２ｂがモータクッション９に食い込んで圧接することにより、モータークッション９が、振動や衝撃により外れることを防止している。ここで、モータクッション９と突起部１１ｂ及び突起部１２ｂとは圧接されているが、モータクッション９と突起部１１ｂ及び突起部１２ｂとは、モータークッション９と上枠体１１及び下枠体１２との間に隙間が生じるように圧接されている。
【００３２】
以上のように構成された電動送風機について、以下その動作、作用を説明する。
【００３３】
図１に示すように、使用者が掃除機本体１に、ホース２、接続パイプ３、延長管４、及び吸込具５を接続して掃除を行う場合、使用者が、電気掃除機１００の電源を入れることで、掃除機本体１内の電動送風機６が動作し、吸込具５の開口部（図示せず）から塵埃が吸込まれる。吸込具５の開口部（図示せず）から吸込まれた塵埃は、延長管４、接続パイプ３、及びホース２を介して集塵装置７の吸気口２６から集塵装置７内部に流入する。
【００３４】
図２及び図３に示すように、電動送風機６のモーターのファン部１６の排気風は、上枠体１１及び下枠体１２の前方のモータークッション９を覆う位置に等間隔に複数設けられた突起部１１ｂ及び突起部１２ｂの各突起部同士の隙間、及び下枠体１２のファン部１６を覆う部分のモータークッション９とモーター本体部８との間にファン部１６の円周方向に複数設けられた孔部１７から効率よく排出されるため、モーター効率を向上させることができる。また、突起部１１ｂ及び突起部１２ｂをそれぞれ等間隔に配設することで、ファン部１６の排気風を整流することができるため、さらにモーター効率を向上させることができるとともに、風切音などの騒音を低減させることができる。
【００３５】
（第２実施形態）
本発明の集塵装置の第２実施形態について、図４を用いて説明する。なお、第１実施形態と同一部分については同一符号を付してその説明を省略する。図５は、本発明の集塵装置の第１実施形態における細塵室の斜視図である。
【００３６】
図４は、本発明の電動送風機の第２実施形態における枠体部の全体斜視図である。
【００３７】
図４に示すように、上枠体１１及び下枠体１２の前方のモータークッション９を覆う位置には、複数の突起部１１ｂ及び突起部１２ｂが、モーター軸方向に対して複数列設けられている。これにより、上枠体１１及び下枠体１２のモータークッション９に食い込んで圧接する箇所が増えるため、モータークッション９がより外れにくくなる。
【００３８】
以上、本発明の第１実施形態及び第２実施形態の電動送風機について説明したが、本発明の電動送風機は上述した第１実施形態及び第２実施形態の電動送風機に限定されるものではない。
【００３９】
例えば、第１実施形態及び第２実施形態の電動送風機においては、上枠体１１及び下枠体１２がモータークッション９の外周の一部を覆う構成について説明したが、上枠体１１及び下枠体１２はモータークッション９を保持していればよく、上枠体１１及び下枠体１２はモータークッション９の全体を覆っていてもよい。これにより、モータークッション９がより外れにくくなる。
【００４０】
また、第１実施形態及び第２実施形態の電動送風機においては、下枠体１２のファン部１６を覆う部分のモータークッション９とモーター本体部８との間に、ファン部１６の円周方向に複数の孔部１７が設けられている構成について説明したが、上枠体１１のファン部１６を覆う部分のモータークッション９とモーター本体部８との間にも、ファン部１６の円周方向に複数の孔部が設けられていてもよい。これにより、ファン部１６からの排気風をより効率的に排出することができ、モーター効率を向上させることができる。
【産業上の利用可能性】
【００４１】
本発明の電動送風機およびこの電動送風機を備えた電気掃除機は、電動掃除機の使用中あるいは電動掃除機に衝撃等が与えられた際に、モータークッションと上枠体及び下枠体とが外れることを十分に防止できるとともに、モーターのファン部からの排気風を効率よく排出し、モーターの効率を向上することが可能となり、吸込み能力が高い電気掃除機を提供することが可能となるので、家庭、業務用等の電気掃除機の分野・用途に好適に適用することができる。
【符号の説明】
【００４２】
１  電気掃除機本体
２  ホース
３  接続パイプ
４  延長管
５  吸込具
６  電動送風機
７  集塵装置
８  モーター本体部
９  モータークッション
１０  支え板
１１  上枠体
１１ａ  リブ
１１ｂ  突起部
１２  下枠体
１２ａ  リブ
１２ｂ  突起部
１３  モーターサポーター
１５  サポートゴム
１５ａ  凹部
１６  ファン部
１７  孔部
【図２】
2011106408.tif 000003
【図３】
2011106408.tif 000004
【図４】
2011106408.tif 000005
【図１】
2011106408.tif 000006